(57)【要約】  【課題】  塵芥排出動作を容易にし、塵芥排出に際して、地面に接して汚れた集塵箱の後部を手で掴み支えることをなくして衛生上好ましいものにする。  【解決手段】  操作ハンドル７を引くことによりプッシュプルワイヤー１８の芯ワイヤー２４を介してレバー部材２２を引きフック１６を回動させて、このフック１６の係合爪部２１を後側開閉蓋体１３の上辺部１３ｂの係合用凸部２７から外し、後側開閉蓋体１３を、ヒンジ部材１４を支点にして下方向に回動させて塵芥排出用開口部８を開くようにして、集塵箱３内の塵芥を自重で落下させて塵入れ容器３０に捨てることを可能にした。【選択図】  図６
0003116123.tif 000002
【実用新案登録請求の範囲】
【請求項１】
把手を上端に備えた柄と、この柄の下端部に二股状の連結アームを介して回動自在に連結され、且つ前面に塵芥掃き込み用の開口部を有する集塵箱と、前記柄と前記集塵箱との回動に連動して前記開口部を開閉する前側開閉蓋体を備えた蓋付き塵取りであって、
前記集塵箱の後面部に設けた塵芥排出用開口部と、この塵芥排出用開口部の一辺部にヒンジ部材を介して取付けられ、且つ、この塵芥排出用開口部を開閉する後側開閉蓋体と、前記塵芥排出用開口部の前記一辺部に対向する対向辺部側に設けられ且つ前記後側開閉蓋体に係脱可能に係合して当該後側開閉蓋体による前記塵芥排出用開口部の閉塞状態を保持するフックと、このフックによる前記保持を解除して前記後側開閉蓋体の開操作を行なう蓋体操作部を備えたことを特徴とする蓋付き塵取り。
【請求項２】
前記蓋体操作部は、前記柄側に配置されて前記フックの係合解除を操作する操作ハンドルと、前記操作ハンドルを前記フックに連係し、且つ前記操作ハンドルの動作により前記フックを動作させるプッシュプルワイヤーとで構成してあることを特徴とする請求項１に記載の蓋付き塵取り。
【請求項３】
前記後側開閉蓋体の前記ヒンジ部材側とは反対側の辺部に係合用凸部を設け、前記フックは、前記対向辺部に設けられた弾性片状部を有し、この弾性片状部の先部に前記係合用凸部に係脱可能に係合する係合爪部を形成し、前記弾性片状部の外面にレバー部材を固着し、前記プッシュプルワイヤーは湾曲自在な管状の外被内に芯ワイヤーを移動可能に挿入した構成であって、このプッシュプルワイヤーの上端部を固定具により前記柄の上部に固定すると共に、前記プッシュプルワイヤーを前記固定具の下方より前記柄の中を通して前記集塵箱内に挿入し、前記芯ワイヤーの上端部に前記操作ハンドルを固着し、前記芯ワイヤーを前記集塵箱に設けた貫通穴から外方に導出して、この芯ワイヤーの下端部を前記レバー部材に連係するようにしたことを特徴とする請求項２に記載の蓋付き塵取り。
【考案の詳細な説明】
【技術分野】
【０００１】
本考案は、蓋付き塵取りに関するものである。
【背景技術】
【０００２】
例えば、図７に示すように、塵芥掃き込み用の開口部４０を前面に備えた集塵箱４１と、開口部４０を開閉する蓋体４２と、集塵箱４１に回動自在に連結された柄４３とを備えた蓋付き塵取りは従来から公知である。このような蓋付き塵取りは、通常、清掃時に集塵箱４１を地面に横向きに接地させると、蓋体４２が開放して塵芥を掃き込むことができ、柄４３で集塵箱４１を持ち上げて宙吊り状態にすると、蓋体４２が開口部４０を閉じるようになっている。
【０００３】
また、従来の蓋付き塵取りとしては、把手を上端に備えた柄と、この柄の下端部に連結アームを介して回動自在に連結され、前面に塵芥掃き込み用の開口部を備えた集塵箱と、柄と集塵箱との回動に連動して開口部を開閉する蓋体とを含み、集塵箱の開口部は、底辺側が上辺側より前方に突出するように傾斜し、また、集塵箱の上面の開口部の上辺に沿う位置には、蓋体の内面に摺動自在に接触する緩衝性の支持部材が設けられ、蓋体は、連結アームに連結されていて、支持部材に内面を支持された状態でスライド式に開閉自在であると共に、支持部材を支点として閉蓋位置と開蓋位置とで姿勢を変え、閉蓋位置では傾斜する開口部を覆い、開蓋位置では集塵箱の上部に位置して横向き姿勢をとるように構成されているものがある（特許文献１参照）。
【特許文献１】特開２００４−６５５９１号公報
【考案の開示】
【考案が解決しようとする課題】
【０００４】
図７に示す従来の蓋付き塵取りは、機能的で使用には非常に便利であるが、この蓋付き塵取り内の塵を塵入れ容器５０に捨てるのに不便である。すなわち、図８に示すように、柄４３を右手４４に握って開口部４０を開けた状態にして左手４５で集塵箱４１の後部を支え、集塵箱４１の後部を持ち上げることで、塵を塵入れ容器５０に捨てねばならず、塵芥排出動作が面倒であるばかりか、地面に接して汚れた集塵箱４１の後部を左手４５で掴み支えることになって、衛生上好ましくないという問題点があった。
【０００５】
また、上記した特許文献１に開示された蓋付き塵取りの場合も、その集塵箱の後部に塵芥排出用開口部を有していないために、上記した従来の蓋付き塵取りと同様に、塵芥排出動作が面倒であるばかりか、地面に接して汚れた集塵箱の後部を左手で掴み支えることになって、衛生上好ましくないという問題点があった。
【０００６】
本考案はかかる従来の問題を改善するためになされたもので、その目的とするところは、塵芥排出動作が容易になるばかりか、塵芥排出に際して、地面に接して汚れた集塵箱の後部を左手で掴み支える必要がなく、衛生上好ましいものになる蓋付き塵取りを提供することである。
【課題を解決するための手段】
【０００７】
上記の目的を達成するために、本考案に係る蓋付き塵取りは、把手を上端に備えた柄と、この柄の下端部に二股状の連結アームを介して回動自在に連結され、且つ前面に塵芥掃き込み用の開口部を有する集塵箱と、柄と集塵箱との回動に連動して開口部を開閉する前側開閉蓋体を備えた蓋付き塵取りであって、集塵箱の後面部に設けた塵芥排出用開口部と、この塵芥排出用開口部の一辺部にヒンジ部材を介して取付けられ、且つ、この塵芥排出用開口部を開閉する後側開閉蓋体と、塵芥排出用開口部の一辺部に対向する対向辺部側に設けられ且つ後側開閉蓋体に係脱可能に係合して当該後側開閉蓋体による塵芥排出用開口部の閉塞状態を保持するフックと、このフックによる保持を解除して後側開閉蓋体の開操作を行なう蓋体操作部を備えたことを特徴とする。
【０００８】
かかる構成により、塵芥の掃き込み清掃が終了して集塵箱の後部を、例えば、塵入れ容器の開口部の辺縁部に載せた状態にして、蓋体操作部を操作することにより、フックによる保持を解除して後側開閉蓋体の開操作を行ない集塵箱の塵芥排出用開口部を開き、集塵箱内の塵芥を自重で落下させて塵入れ容器に捨てることができる。このように、塵芥排出動作が容易になるばかりか、地面に接して汚れた集塵箱の後部を左手で掴み支える必要がなく、衛生上好ましいものになる。
【０００９】
また、空になった集塵箱を宙吊り状態にして、後側開閉蓋体を地面に接触させて集塵箱を押し込むことにより、後側開閉蓋体をフックに係脱可能に係合させて塵芥排出用開口部を後側開閉蓋体により閉塞することができる。
【００１０】
また、本考案に係る蓋付き塵取りは、上記した本考案に係る蓋付き塵取りにおいて、蓋体操作部は、柄側に配置されてフックの係合解除を操作する操作ハンドルと、操作ハンドルをフックに連係し、且つ操作ハンドルの動作によりフックを動作させるプッシュプルワイヤーとで構成してあることを特徴とする。
【００１１】
かかる構成により、操作ハンドルを引くことによりプッシュプルワイヤーを介してフックを作動させて、このフックを後側開閉蓋体の辺部から外す。このために、後側開閉蓋体はヒンジ部材を支点にして下方向に回動して、集塵箱の塵芥排出用開口部が開き、集塵箱内の塵芥が自重で落下させることができて、塵芥排出動作が容易になるばかりか、地面に接して汚れた集塵箱の後部を左手で掴み支える必要がなく、衛生上好ましいものになる。
【００１２】
また、本考案に係る蓋付き塵取りは、上記した本考案に係る蓋付き塵取りにおいて、後側開閉蓋体のヒンジ部材側とは反対側の辺部に係合用凸部を設け、フックは、対向辺部に設けられた弾性片状部を有し、この弾性片状部の先部に係合用凸部に係脱可能に係合する係合爪部を形成し、弾性片状部の外面にレバー部材を固着し、プッシュプルワイヤーは湾曲自在な管状の外被内に芯ワイヤーを移動可能に挿入した構成であって、このプッシュプルワイヤーの上端部を固定具により柄の上部に固定すると共に、プッシュプルワイヤーを、固定具の下方より柄の中に通して集塵箱内に挿入し、芯ワイヤーの上端部に操作ハンドルを固着し、芯ワイヤーを集塵箱に設けた貫通穴から外方に導出して、この芯ワイヤーの下端部をレバー部材に連係するようにしたことを特徴とする。
【００１３】
かかる構成により、操作ハンドルを引くことによりプッシュプルワイヤーの芯ワイヤーを介してレバー部材を引きフックを回動させて、このフックの係合爪部を後側開閉蓋体の辺部の係合用凸部から外す。このために、後側開閉蓋体はヒンジ部材を支点にして下方向に回動して、集塵箱の塵芥排出用開口部が開く。このために、集塵箱内の塵芥を自重で落下させて塵入れ容器に捨てることができて、塵芥排出動作が容易になるばかりか、地面に接して汚れた集塵箱の後部を左手で掴み支える必要がなく、衛生上好ましいものになる。
【考案の効果】
【００１４】
本考案に係る蓋付き塵取りによれば、塵芥の掃き込み清掃が終了した状態で、この集塵箱の後部を、例えば、塵入れ容器の開口部の辺縁部に載せた状態にして、蓋体操作部を操作することにより、フックによる保持を解除して後側開閉蓋体の開操作を行ない集塵箱の塵芥排出用開口部を開き、集塵箱内の塵芥を自重で落下させて塵入れ容器に捨てることができる。このように、塵芥排出動作が容易になるばかりか、塵芥排出に際して、地面に接して汚れた集塵箱の後部を左手で掴み支える必要がなく、衛生上好ましいものになる。
【００１５】
また、空になった集塵箱を宙吊り状態にして、後側開閉蓋体を地面に接触させて集塵箱を押し込むことにより、後側開閉蓋体（後側開閉蓋体の辺部の係合用凸部）をフックに係脱可能に係合させて塵芥排出用開口部を後側開閉蓋体により閉塞することができる。
【考案を実施するための最良の形態】
【００１６】
本考案の実施の形態を、図面を参照して詳述する。
【００１７】
図１乃至図６は、本考案に係る蓋付き塵取りの好ましい代表的な一実施形態を示すもので、この蓋付き塵取りは、把手７を上端に備えた柄１と、この柄１の下端部に二股状の連結アーム２を介して回動自在に連結され、且つ前面に塵芥掃き込み用の開口部４を有する集塵箱３と、柄１に対する集塵箱３と連結アーム２の回動に連動して開口部４を開閉する前側開閉蓋体５と、集塵箱３の後面部に設けた塵芥排出用開口部８と、この塵芥排出用開口部８を開閉する後側開閉蓋体１３と、後側開閉蓋体１３に係脱可能に係合して当該後側開閉蓋体１３による塵芥排出用開口部８の閉塞状態を保持するフック１６と、このフック１６による保持を解除して後側開閉蓋体１３の開操作を行なう蓋体操作部１５を備えている。
【００１８】
すなわち、集塵箱３は平面視略矩形の箱形をなすもので、上面部３ａと、左、右側面部３ｂ、３ｃと、底面部（下面部）３ｄを有しており、この集塵箱３の前面には上記した塵芥掃き込み用の開口部４が形成してある。この開口部４は、集塵箱３の前面を斜め前下がり状に傾斜させることにより、底辺部４ａ側が上辺部４ｂ側より前方に突出するように形成してある（図５参照）。また、集塵箱３の後面には、上記した塵芥排出用開口部８が形成してあり、この塵芥排出用開口部８は集塵箱３の後面全体を開口させることで形成してある（図４参照）。
【００１９】
そして、集塵箱３の開口部４は、上記した前側開閉蓋体５により開閉されるものであり、この前側開閉蓋体５は、開口部４の閉塞時に、この開口部４の周辺部に当接するように湾曲しており、前側開閉蓋体５は、その後辺部５ｂでヒンジ部材９を介して開口部４の上辺部４ｂに連結してある。そして、前側開閉蓋体５の幅方向の中央には、その前辺部５ａ側に寄せて穴部１０が設けてあり、この穴部１０には合成ゴム製のシール部材１１が嵌め込まれており、このシール部材１１の中央部には挿入孔部１２が設けてある。
【００２０】
また、上記した連結アーム２は、金属製の棒材からなるもので、集塵箱３の左、右側面部３ｂ、３ｃの外方に延びる左右一対のサイド部片２ａ、２ａと、各サイド部片２ａ、２ａの先端から開口部４の前面を横断する方向に延びる取付部片２ｂを有しており、サイド部片２ａ、２ａの基端部は集塵箱３の左、右側面部３ｂ、３ｃに回動自在に支承してある。
【００２１】
そして、柄１の下部は、前側開閉蓋体５に設けたシール部材１１の挿入孔部１２に挿入してあって、柄１の下端部は連結アーム２の取付部片２ｂに回動自在に連結してある。
【００２２】
また、集塵箱３の塵芥排出用開口部８は、上記した後側開閉蓋体１３により開閉されるものであり、この後側開閉蓋体１３は、その下辺部１３ａでヒンジ部材１４を介して塵芥排出用開口部８の下辺部８ａに連結してある（図４、図５参照）。また、後側開閉蓋体１３の上辺部（ヒンジ部材１４側とは反対側の辺部）１３ｂの中央には係合用凸部２７が形成してある。そして、後側開閉蓋体１３の内面にはシール部材１３Ａが取付けてある。
【００２３】
上記した蓋体操作部１５は、柄１の上部に設けられた操作ハンドル１７と、この操作ハンドル１７とフック１６を連係するプッシュプルワイヤー１８とを備えている。
【００２４】
また、上記したフック１６は、集塵箱３の上面部３ａの後端部（塵芥排出用開口部８の上辺部８ｂ）に二本の切込み１９を入れて形成された弾性片状部２０を有しており、この弾性片状部２０の先部には係合爪部２１が形成してあるし、また、弾性片状部２０の外面（上面）には側面視でＬ字形状のレバー部材２２が固着してある。
【００２５】
また、図３に示すように、プッシュプルワイヤー１８は湾曲自在な管状の外被２３内に芯ワイヤー２４を移動可能に挿入した構成であって、このプッシュプルワイヤー１８の上端部１８ａは、固定具２５により柄１の上部に固定してある。また、プッシュプルワイヤー１８は、柄１の固定具２５より下方の部位に設けた孔１Ｄから柄１内に通して集塵箱３内に挿入してある。
【００２６】
そして、プッシュプルワイヤー１８の芯ワイヤー２４が集塵箱３の上面部３ａに設けた貫通穴２６から外方に導出してあり、この芯ワイヤー２４の先端部はレバー部材２２に連係してある。また、図３に示すように、プッシュプルワイヤー１８の上端部１８ａから外に突出した芯ワイヤー２４の端部に操作ハンドル１７が固着してある。
【００２７】
また、柄１の上端部に設けられた把手７は、柄１の上端から二股状に分岐する一対の支持部７ａ、７ａと、これらの支持部片７ａ、７ａの先端同士を連結する握持用のグリップ部７ｂとからなっている。
【００２８】
上記のように構成された蓋付き塵取りは、図１及び図２に示すように、操作ハンドル１７が操作されていない状態では、後側開閉蓋体１３の係合用凸部２７にフック１６の係合爪部２１が係脱可能に係合していて、集塵箱３の塵芥排出用開口部８は後側開閉蓋体１３により閉塞されている。この場合、シール部材１３Ａは塵芥排出用開口部８の周縁部に当接する。
【００２９】
このように、塵芥排出用開口部８が後側開閉蓋体１３により閉塞された状態で、柄１の把手７を持って集塵箱３を宙吊りにした状態では、連結アーム２及び前側開閉蓋体５が共に閉蓋位置にあり、前側開閉蓋体５は集塵箱３の開口部４全体を覆っている。
【００３０】
この状態から、図５に示すように、集塵箱３を地面（図示せず）に当てて横向きに接地させると、柄１に対する集塵箱３及び連結アーム２の回動と共に前側開閉蓋体５が、ヒンジ部材９を支点にして後方に回動して開口部４を開放していく。そして、前側開閉蓋体５が図５の開蓋位置に達する。
【００３１】
この状態で開口部４から集塵箱３内に塵芥を掃き込む。清掃が終了して集塵箱３を再び宙吊り状態に持ち上げると、柄１に対する集塵箱３の回動と共に連結アーム２及び前側開閉蓋体５が共に閉蓋位置になり、前側開閉蓋体５は集塵箱３の開口部４全体を覆う。
【００３２】
次に、図６に示すように、集塵箱３の後部をゴミ入れ容器３０の開口部３０Ａの辺縁部３０Ｂに載せた状態にして、操作ハンドル１７を引くことにより、プッシュプルワイヤー１８の芯ワイヤー２４を介してレバー部材２２を引き、フック１６を上方向に回動させて、このフック１６の係合爪部２１を後側開閉蓋体１３の係合用凸部２７から外す。このために、後側開閉蓋体１３はヒンジ部材１４を支点にして下方向に回動して、集塵箱３の塵芥排出用開口部８が開く。このために、集塵箱３内の塵芥が自重で落下して塵入れ容器３０に捨てられる。
【００３３】
次に、空になった集塵箱３を宙吊り状態にして、後側開閉蓋体１３を地面に接触させて集塵箱３を押し込むことにより、後側開閉蓋体１３の係合用凸部２７にフック１６の係合爪部２１が係脱可能に係合して集塵箱３の塵芥排出用開口部８は後側開閉蓋体１３により閉塞される。
【００３４】
上記したように、本考案の実施例によれば、操作ハンドル１７を引くことによりプッシュプルワイヤー１８の芯ワイヤー２４を介してレバー部材２２を引きフック１６を回動させて、このフック１６の係合爪部２１を後側開閉蓋体１３の係合用凸部２７から外し、後側開閉蓋体１３を、ヒンジ部材１４を支点にして下方向に回動させて塵芥排出用開口部８を開き、集塵箱３内の塵芥を自重で落下させて塵入れ容器３０に捨てることができて、塵芥排出動作が容易になるばかりか、地面に接して汚れた集塵箱３の後部を左手で掴み支える必要がなく、衛生上好ましいものとなる。
【００３５】
また、空になった集塵箱３を宙吊り状態にして、後側開閉蓋体１３を地面に接触させて集塵箱３を押し込むことにより、後側開閉蓋体１３の係合用凸部２７にフック１６の係合爪部２１を係脱可能に係合して、塵芥排出用開口部８を後側開閉蓋体１３により閉塞することができる。
【産業上の利用可能性】
【００３６】
本考案に係る蓋付き塵取りによれば、塵芥排出動作が容易になるばかりか、塵芥排出に際して、地面に接して汚れた集塵箱の後部を左手で掴み支える必要がなく、衛生上好ましいものとなるという効果を有しており、蓋付き塵取りとして有用である。
【図面の簡単な説明】
【００３７】
【図１】本考案に係る蓋付き塵取りの全体の斜視図である。
【図２】同蓋付き塵取りの集塵箱部分の斜視図である。
【図３】同蓋付き塵取りの柄部分の斜視図である。
【図４】同蓋付き塵取りにおいて、後側開閉蓋体を開けて集塵箱の塵芥排出用開口部を開放した状態の斜視図である。
【図５】同蓋付き塵取りにおいて、前側開閉蓋体を開けて集塵箱の開口部を開放した状態の斜視図である。
【図６】同蓋付き塵取りにおいて、後側開閉蓋体を開けて集塵箱の塵芥排出用開口部を開放し集塵箱内の塵芥を自重で落下させて塵入れ容器に捨てる状態の斜視図である。
【図７】従来の蓋付き塵取りの全体の斜視図である。
【図８】同蓋付き塵取りにおいて、前側開閉蓋体を開けて集塵箱の開口部を開放し集塵箱内の塵芥を塵入れ容器に捨てる状態の斜視図である。
【符号の説明】
【００３８】
１    柄
２    連結アーム
３    集塵箱
４    塵芥掃き込み用の開口部
５    前側開閉蓋体
７    把手
８    塵芥排出用開口部
８ａ  下辺部（一辺部）
８ｂ  上辺部（対向辺部）
９    ヒンジ部材
１３  後側開閉蓋体
１４  ヒンジ部材
１５  蓋体操作部
１６  フック
１７  操作ハンドル
１８  プッシュプルワイヤー
２０  弾性片状部
２１  係合爪部
２２  レバー部材
２４  芯ワイヤー
２６  貫通穴
２７  係合用凸部
３０  塵入れ容器
【図１】
0003116123.tif 000003
【図２】
0003116123.tif 000004
【図３】
0003116123.tif 000005
【図４】
0003116123.tif 000006
【図５】
0003116123.tif 000007
【図６】
0003116123.tif 000008
【図７】
0003116123.tif 000009
【図８】
0003116123.tif 000010